(57)【要約】  【課題】座席上のオペレータが休憩時にシートバックを倒すようにして自由な背伸び動作をすることができる作業機械を提供する。  【解決手段】機体に搭載したキャブ17内に、シートクッション32に対しリクライニング機構33によりリクライニング可能なシートバック34を有する座席31を設置する。この座席31のリクライニング機構33をロック解除したフリー状態でシートバック34を弾力的に支持する付勢手段41を設置する。シートバック34のリクライニングをロック解除したフリー状態で、作業装置16の操作系をロックする操作系ロック手段44を設置する。  【選択図】図１
2006200224.tif 000002
【特許請求の範囲】
【請求項１】
機体と、
機体に搭載された作業装置およびキャブと、
キャブ内に設置されたリクライニング可能なシートバックを有する座席と、
シートバックのリクライニングをロック解除したフリー状態でシートバックを弾力的に支持する付勢手段と
を具備したことを特徴とする作業機械。
【請求項２】
シートバックのリクライニングをロック解除したフリー状態で、作業装置を操作する操作系をロックする操作系ロック手段
を具備したことを特徴とする請求項１記載の作業機械。
【発明の詳細な説明】
【技術分野】
【０００１】
本発明は、リクライニング可能な座席を備えた作業機械に関するものである。
【背景技術】
【０００２】
シートクッションに対しシートバックをリクライニング可能に設けた車両用シートのリクライニング装置がある（例えば、特許文献１参照）。
【０００３】
このリクライニング装置は、シートクッションの側面に取付けられたクッションブラケットと、シートバックの側面に取付けられたバックブラケットとを枢軸で連結し、クッションブラケットを貫通して軸方向移動自在に設けられたロックピンを、リクライニング用レバーにより回動されるカムにより軸方向に移動させて、バックブラケットの複数の係合穴の１つに嵌脱させることで、シートバックをロックしたりロック解除するものである。
【特許文献１】特開２００４−３３６１１号公報（第４−５頁、図１−５）
【発明の開示】
【発明が解決しようとする課題】
【０００４】
一方、従来の油圧ショベルなどの作業機械に設置された座席は、シートバックの角度調整時のみシートバックのロックを解除できるが、通常状態ではシートバックがロックされ、リクライニング状態に動かすことができない。このため、作業機械のオペレータが休憩時にシートバックを倒して背伸び動作をすることが容易にできない問題がある。
【０００５】
本発明は、このような点に鑑みなされたもので、座席上のオペレータが休憩時にシートバックを倒すようにして自由な背伸び動作をすることができる作業機械を提供することを目的とするものである。
【課題を解決するための手段】
【０００６】
請求項１記載の発明は、機体と、機体に搭載された作業装置およびキャブと、キャブ内に設置されたリクライニング可能なシートバックを有する座席と、シートバックのリクライニングをロック解除したフリー状態でシートバックを弾力的に支持する付勢手段とを具備した作業機械であり、そして、作業機械のオペレータは、休憩時に、シートバックのリクライニングをロック解除してフリー状態とし、付勢手段の付勢力とバランスをとりながらシートバックを倒すようにして自由な背伸び動作をすることができるので、オペレータの疲労低減に役立つ。
【０００７】
請求項２記載の発明は、請求項１記載の作業機械において、シートバックのリクライニングをロック解除したフリー状態で、作業装置を操作する操作系をロックする操作系ロック手段を具備したものであり、そして、シートバックのリクライニングをロック解除したフリー状態では、操作系ロック手段により操作系がロックされているので、誤操作により作業装置が動くおそれがない。
【発明の効果】
【０００８】
請求項１記載の発明によれば、作業機械のオペレータは、休憩時に、シートバックのリクライニングをロック解除してフリー状態とし、付勢手段の付勢力とバランスをとりながらシートバックを倒すようにして自由な背伸び動作をすることができるので、オペレータの疲労低減に役立てることができる。
【０００９】
請求項２記載の発明によれば、シートバックのリクライニングをロック解除したフリー状態では、操作系ロック手段により操作系がロックされているので、誤操作による作業装置の作動を防止できる。
【発明を実施するための最良の形態】
【００１０】
以下、本発明を、図１に示される一実施の形態を参照しながら詳細に説明する。
【００１１】
図１に示されるように、作業機械は油圧ショベルであり、その機体11は、下部走行体12上に旋回軸受部13を介して上部旋回体14が、旋回モータ15およびギヤ装置により旋回可能に設けられている。この機体11の上部旋回体14上に作業装置16およびキャブ17が搭載されている。
【００１２】
作業装置16は、上部旋回体14にブーム21の基端部が上下方向回動自在に軸支され、このブーム21の先端にアーム22が前後方向回動自在に軸支され、このアーム22の先端にバケット23が回動自在に軸支され、ブーム21はブームシリンダ24により、アーム22はアームシリンダ25により、バケット23は、バケットシリンダ26によりそれぞれ回動される。
【００１３】
キャブ17内には座席31が設置されている。この座席31は、シートクッション32に対しリクライニング機構33によりリクライニング可能なシートバック34を有する。
【００１４】
リクライニング機構33は、例えば、背景技術の項に示されたように、シートクッション32の側面に取付けられたクッションブラケット35と、シートバック34の側面に取付けられたバックブラケット36とを枢軸37で連結し、クッションブラケット35側に軸方向移動自在に設けられたロックピン38を、リクライニング用レバー（図示せず）により回動されるカム（図示せず）により軸方向に移動させて、バックブラケット36の同心円上に設けられた複数の係合穴（図示せず）の１つに嵌脱させることで、シートバック34のリクライニング角度調整時にシートバック34をロックしたりロック解除するものである。
【００１５】
このリクライニング機構33には、シートバック34のリクライニングをロック解除したフリー状態でシートバック34を弾力的に支持する付勢手段41が設けられている。この付勢手段41としては、バックブラケット36を下方へ延長させた延長部42と、シートクッション32の前部下側に取付けられたブラケット43との間に、ガス封入シリンダを用いたガススプリングや、コイルスプリングなどが介在されている。
【００１６】
また、シートバック34のリクライニングをロック解除したフリー状態で、作業装置16を操作する操作系をロックする操作系ロック手段44が設けられている。
【００１７】
この操作系ロック手段44は、例えば、搭載エンジン45により駆動されるメインポンプ46から旋回モータ15、ブームシリンダ24、アームシリンダ25およびバケットシリンダ26などの各油圧アクチュエータに供給される作動油を制御する油圧回路のコントロール弁47と、パイロットポンプ48から供給されたパイロット油圧を座席31の左右両側に配置された操作レバー49で手動制御してコントロール弁47内の各油圧アクチュエータ制御スプールをパイロット操作するパイロット弁51とを連通するパイロット通路52中に、電磁式ロック弁53を介在させ、一方、リクライニング機構33のロックピン38などに対して、シートバック34のリクライニングをロック解除したフリー状態を検出するスイッチ54を組込み、フリー状態を検出したスイッチ54からの電気信号を受けたコントローラ55が、開状態にあった電磁式ロック弁53を閉じるようにしたものである。
【００１８】
そして、作業機械のオペレータは、休憩時に、リクライニング機構33のロックピン38を係合穴から外すことで、リクライニング機構33をロック解除してフリー状態とし、付勢手段41の付勢力とバランスをとりながら、背中でシートバック34を倒すようにして事務椅子におけるような自由な背伸び動作をすることができるので、オペレータの疲労低減に役立つ。
【００１９】
また、このようなシートバック34のリクライニングをロック解除したフリー状態では、操作系ロック手段44のスイッチ54がフリー状態を検出し、コントローラ55が電磁式ロック弁53を閉じて、パイロット弁51からコントロール弁47へのパイロット圧出力を遮断することで、操作系がロックされているので、操作レバー49が誤操作された場合でも、コントロール弁47内の各油圧アクチュエータ制御スプールは中立位置に保たれ、旋回モータ15、ブームシリンダ24、アームシリンダ25およびバケットシリンダ26などの各油圧アクチュエータの作動を防止でき、停止状態を維持できる。
【００２０】
なお、操作系ロック手段44は、操作レバー49を機械的にロックするようにしてもよい。また、機体11は、旋回型の油圧ショベルに限定されるものではなく、非旋回型の他の作業機械、例えばブルドーザなどにも適用できる。
【図面の簡単な説明】
【００２１】
【図１】本発明に係る作業機械の一実施の形態を、操作系ロック手段のブロック図と共に示す側面図である。
【符号の説明】
【００２２】
11    機体
16    作業装置
17    キャブ
31    座席
34    シートバック
41    付勢手段
44    操作系ロック手段
【図１】
2006200224.tif 000003